(57)【要約】      （修正有）【課題】バストポイント位置を上げる、バストポイント位置を中央前部に寄せるといったバスト位置の調整を内側衣料により改善しても残る人体の厚み等によるバスト位置の個人差を、内側衣料と外側衣料との間における上下方向の調節作用により解消することが可能な複合衣料を提供する。【解決手段】人体に直接着用され、女性のバスト部分を覆うバストカップ部を有する内側衣料２と、内側衣料２の外側に配置される外側衣料３と、外側衣料３の前面側と背面側とにわたって配置される左右のショルダー部材１６、１７とを備え、左右のショルダー部材１６、１７を女性の肩に掛けることによって着用される外側衣料３に対する内側衣料２の装着位置を、左右のショルダー部材１６、１７に設けられたボタンホール１８、１９と内側衣料２に設けられたボタン２２、２２とによって上下方向に沿って調節可能とした。【選択図】図７
2014234558.tif 000002
【特許請求の範囲】
【請求項１】
人体に直接着用され、女性のバスト部分を覆うバストカップ部を有する内側衣料と、前記内側衣料の外側に配置される外側衣料と、前記内側衣料又は外側衣料の少なくともいずれか一方に配置されるか、或いは前記内側衣料と前記外側衣料との間にわたって配置され、人体の肩部に装着される帯状又はコード状のショルダー部材と、前記外側衣料に対する前記内側衣料のバストカップ部の位置を調節する調節手段とを備えたことを特徴とする複合衣料。
【請求項２】
前記ショルダー部材の前面側及び背面側の端部をそれぞれ前記外側衣料に接合するとともに、前記外側衣料に対する前記内側衣料の装着位置を前記調節手段によって調節可能としたことを特徴とする請求項１に記載の複合衣料。
【請求項３】
前記ショルダー部材の前面側及び背面側の端部をそれぞれ前記内側衣料に接合するとともに、前記内側衣料に対する前記外側衣料の装着位置を前記調節手段によって調節可能としたことを特徴とする請求項１に記載の複合衣料。
【請求項４】
前記ショルダー部材の背面側の端部を前記外側衣料に接合するとともに、前記ショルダー部材の前面側の端部を前記内側衣料に接合し、前記外側衣料に対する前記内側衣料の装着位置を前記調節手段によって調節可能としたことを特徴とする請求項１に記載の複合衣料。
【請求項５】
前記ショルダー部材の背面側の端部を前記内側衣料に接合するとともに、前記ショルダー部の前面側の端部を前記外側衣料に接合し、前記外側衣料に対する前記内側衣料の装着位置を前記調節手段によって調節可能としたことを特徴とする請求項１に記載の複合衣料。
【請求項６】
前記調節手段は、少なくとも一方が異なる位置に複数設けられた着脱自在な一対の着脱部材からなることを特徴とする請求項１乃至５のいずれかに記載の複合衣料。
【発明の詳細な説明】
【技術分野】
【０００１】
この発明は、人体に直接着用し、女性のバスト部分を覆うバストカップ部を有する内側衣料と、前記内側衣料の外側に配置される外側衣料とを複合させた複合衣料に関するものである。
【背景技術】
【０００２】
近年、人体のシルエットを整える目的で着用されるファンデーションガーメント（内衣）とアウター（外衣）とを合成した衣料や、ファンデーションガーメント（内衣）とアウター（外衣）との間にあって、アウター（外衣）との調和を図るランジェリー（中衣）や、アンダーシャツ、ニューインナーと言われる衣料（中衣）とファンデーションガーメント（内衣）とを合成した衣料などが多く着用されるようになってきている。
【０００３】
かかる合成衣料に関する技術としては、例えば、特開２０１２−９７３８５号公報に開示されたものが既に提案されている。この特開２０１２−９７３８５号公報に係るブラジャー付衣料は、ブラジャー付衣料において、ブラジャー部のアンダーバスト長さの適切な調整ができるようにすることを目的として、生地からなる身頃本体と、一対のカップと、該カップの下方にありそれぞれのカップに縫着された土台部と、該一対のカップの外側側方に位置する脇布を有し、前記身頃本体に一部が縫着されたブラジャー部と、からなる、ブラジャー部付衣料において、前記ブラジャー部の土台部脇側両端が、前記カップの下縁近傍において、前記脇布の下縁両端とそれぞれ着脱可能となっていることを特徴とするものである。
【先行技術文献】
【特許文献】
【０００４】
【特許文献１】特開２０１２−９７３８５号公報
【発明の概要】
【発明が解決しようとする課題】
【０００５】
しかしながら、上記ファンデーションガーメント（内衣）とアウター（外衣）とを合成した衣料や、ファンデーションガーメント（内衣）とランジェリー（中衣）とを合成した衣料などの場合には、外観から見栄えのすることを価値観としてシルエットを構成するため、そのシルエットの最も重要なバスト位置は、往々にして一般女性の実体値よりも高く設定される傾向がある。
【０００６】
そのため、本来、人体にフィットしなければならないファンデーションガーメント（内衣）等の内側衣料と当該内側衣料の外側に配置される外側衣料との間で、バスト位置における整合性が得難いという技術的課題を有していた。
【０００７】
そこで、この発明は、上記従来技術の課題を解決するものであり、その目的とするところは、バストポイント位置を上げる、バストポイント位置を中央前部に寄せるといったバスト位置の調整を内側衣料により改善しても残る人体の厚み等によるバスト位置の個人差を、内側衣料と外側衣料との間における上下方向の調節作用により解消することが可能な複合衣料を提供することにある。
【課題を解決するための手段】
【０００８】
この発明は、上記課題を解決するため、次のような技術的手段を採用している。すなわち、請求項１に記載された発明は、人体に直接着用され、女性のバスト部分を覆うバストカップ部を有する内側衣料と、前記内側衣料の外側に配置される外側衣料と、前記内側衣料又は外側衣料の少なくともいずれか一方に配置されるか、或いは前記内側衣料と前記外側衣料との間にわたって配置され、人体の肩部に装着される帯状又はコード状のショルダー部材と、前記外側衣料に対する前記内側衣料のバストカップ部の位置を調節する調節手段とを備えたことを特徴とする複合衣料である。
【０００９】
また、請求項２に記載された発明は、前記ショルダー部材の前面側及び背面側の端部をそれぞれ前記外側衣料に接合するとともに、前記外側衣料に対する前記内側衣料の装着位置を前記調節手段によって調節可能としたことを特徴とする請求項１に記載の複合衣料である。
【００１０】
さらに、請求項３に記載された発明は、前記ショルダー部材の前面側及び背面側の端部をそれぞれ前記内側衣料に接合するとともに、前記内側衣料に対する前記外側衣料の装着位置を前記調節手段によって調節可能としたことを特徴とする請求項１に記載の複合衣料である。
【００１１】
又、請求項４に記載された発明は、前記ショルダー部材の背面側の端部を前記外側衣料に接合するとともに、前記ショルダー部材の前面側の端部を前記内側衣料に接合し、前記外側衣料に対する前記内側衣料の装着位置を前記調節手段によって調節可能としたことを特徴とする請求項１に記載の複合衣料である。
【００１２】
更に、請求項５に記載された発明は、前記ショルダー部材の背面側の端部を前記内側衣料に接合するとともに、前記ショルダー部の前面側の端部を前記外側衣料に接合し、前記外側衣料に対する前記内側衣料の装着位置を前記調節手段によって調節可能としたことを特徴とする請求項１に記載の複合衣料である。
【００１３】
また、請求項６に記載された発明は、前記調節手段は、少なくとも一方が異なる位置に複数設けられた着脱自在な一対の着脱部材からなることを特徴とする請求項１乃至５のいずれかに記載の複合衣料である。
【発明の効果】
【００１４】
この発明によれば、バストポイント位置を上げる、バストポイント位置を中央前部に寄せるといったバスト位置の調整を内側衣料により改善しても残る人体の厚み等によるバスト位置の個人差を、内側衣料と外側衣料との間における上下方向の調節作用により解消することが可能な複合衣料を提供することができる。
【図面の簡単な説明】
【００１５】
【図１】この発明の実施の形態１に係る複合衣料としてのブラキャミソールを示す構成図である。
【図２】内側衣料を示す構成図である。
【図３】内側衣料を示す断面図である。
【図４】この発明の実施の形態１に係る複合衣料としてのブラキャミソールのバストカップ体を取り外した状態を示す構成図である。
【図５】調節手段としてのボタン穴を示す構成図である。
【図６】この発明の実施の形態１に係る複合衣料の変形例を示す構成図である。
【図７】この発明の実施の形態１に係る複合衣料としてのブラキャミソールの着用状態を示す構成図である。
【図８】この発明の実施の形態１の変形例に係る複合衣料を示す構成図である。
【図９】この発明の実施の形態１の更なる変形例に係る複合衣料を示す構成図である。
【図１０】この発明の実施の形態１の更に異なる変形例に係る複合衣料を示す構成図である。
【図１１】この発明の実施の形態１の更に異なる変形例に係る複合衣料を示す構成図である。
【図１２】この発明の実施の形態１の更に異なる変形例に係る複合衣料を示す構成図である。
【図１３】この発明の実施の形態１の更に異なる変形例に係る複合衣料を示す構成図である。
【図１４】この発明の実施の形態１の更に異なる変形例に係る複合衣料を示す構成図である。
【図１５】環状部材を示す構成図である。
【図１６】内側衣料を示す構成図である。
【図１７】この発明の実施の形態１の変形例に係る複合衣料を示す構成図である。
【図１８】この発明の実施の形態１の変形例に係る複合衣料を示す構成図である。
【図１９】この発明の実施の形態１の変形例に係る複合衣料を示す構成図である。
【図２０】この発明の実施の形態１の変形例に係る複合衣料を示す構成図である。
【図２１】この発明の実施の形態２に係る複合衣料を示す構成図である。
【図２２】この発明の実施の形態２に係る複合衣料の内側衣料を示す構成図である。
【図２３】内側衣料の補正効果を示す構成図である。
【図２４】この発明の実施の形態３に係る複合衣料を示す構成図である。
【図２５】この発明の実施の形態３の変形例に係る複合衣料を示す構成図である。
【図２６】この発明の実施の形態３の変形例に係る複合衣料を示す構成図である。
【図２７】この発明の実施の形態３の変形例に係る複合衣料を示す構成図である。
【図２８】この発明の実施の形態３の変形例に係る複合衣料を示す構成図である。
【図２９】この発明の実施の形態４に係る複合衣料を示す構成図である。
【発明を実施するための形態】
【００１６】
以下に、この発明の実施の形態について図面を参照して説明する。
【００１７】
実施の形態１
図１はこの発明の実施の形態１に係る複合衣料としてのブラキャミソールを示すものである。
【００１８】
このブラキャミソール１は、図１に示すように、人体に直接着用され、女性の左右のバスト部分を覆うバストカップ部を有する内側衣料２と、内側衣料２の外側に配置され、人体の肩部に装着されるショルダー部材を有する外側衣料３とを複合させた１つの複合衣料として構成されている。外側衣料３は、例えば、アウターとしてそのまま着用されるものであり、アウターを構成する通常の生地を縫着することによって女性の少なくとも上半身の一部、図示の実施形態ではショルダー部及び左右のバスト部分を除いて上半身の略全体を覆うように形成されている。また、内側衣料２は、ファンデーションガーメントを構成するものであり、左右のバスト部分の前面側のみではなく、体側部から背面側を含めて女性の胸部の周囲を覆うように構成されているが、バストカップ体２は、少なくとも女性の左右のバスト部分の前面側のみを覆うように構成されていても良い。これら内側衣料２及び外側衣料３を構成する素材は、特に限定されるものではないが、必要に応じて部分的又は全体的にストレッチ性を有する素材を用いるのが望ましい。
【００１９】
但し、内側衣料２は、必ずしもアウターとしての外側衣料の胸部に露出する場合に限らず、図９に示すように、外側衣料３の外部に露出せず、ファンデーションガーメントとしての機能を重視して形成したものとし、外側衣料３は、内側衣料２との調和を考慮せずに、アウターとしての機能を重視して形成したものとしても勿論良い。なお、この場合、後述するように、内側衣料２のバストカップ部の位置と女性のバスト部との位置の調節量が最大である場合であっても、内側衣料２のバストカップ部の位置と外側衣料３の胸部との調和が図れるように、内側衣料２のバストカップ部のバストトップ位置を設定することが望ましい。
【００２０】
上記内側衣料２は、図２に示すように、左右のバストカップ部４、５と、当該左右のバストカップ部４、５の左右両側に縫着等の手段によって接続される左右の身頃部６、７を備えており、左右の身頃部６、７は、女性の胸部の周囲を覆うように構成されている。ただし、上記内側衣料２は、通常のブラジャーと異なり、左右の身頃部６、７の先端部に設けられるフックやアイ等の連結具によって互いに連結されるものではなく、左右の身頃部６、７の先端部は女性の体の背面側で互いに縫着されている。なお、左右の身頃部６、７は、その先端部に設けられるフックやアイ等の連結具によって互いに着脱可能に連結されるように構成しても良い。
【００２１】
また、上記内側衣料２の内面側には、図３に示すように、左右のバストカップ部材８、９が配置されており、これらの左右のバストカップ部材８、９は、表地１０及び裏地１１によって被覆されている。また、上記左右のバストカップ部材８、９は、図２３に示すように、女性のバスト形状を中央部に寄せて上方に上げる形状に対応した三次元形状にモールド成型により形成されていることが望ましい。なお、上記左右のバストカップ部材８、９は、左右別体として設けても良いが、左右のバストカップ部材８、９を一体的に形成しても勿論良い。
【００２２】
さらに、上記外側衣料３は、図１及び図４に示すように、女性の少なくとも上半身の一部を覆うものであれば、その形状やデザインは任意であり、外側衣料３の長さ（丈）は、その下端部が女性の腰部に位置するものであっても、女性の上半身の上部のみを覆うもの、女性の全身を覆うものなどであっても良い。図示の実施の形態では、外側衣料３は、女性の上半身の両肩が露出するように、左右の上端部１２、１３が脇下に位置するように形成されているとともに、外側衣料３の前面側の上端部１４が内側衣料２の装着位置よりも下方に位置しており、内側衣料２の装着位置には、開口部１５が設けられている。その結果、内側衣料２の前面側は、外側衣料３の開口部１５から露出するデザインとなっている。上記外側衣料３は、前身頃体と後身頃体を一体的に形成したもの、別部材としての前身頃体と後身頃体とを縫着したもの、前身頃体と左右の身頃体と後身頃体とを縫着したものなど、その構成は任意である。
【００２３】
また、上記ブラキャミソール１は、図１及び図４に示すように、当該ブラキャミソール１を着用する際に、女性の左右の肩に掛けるショルダー部材１６、１７を備えている。これらの左右のショルダー部材１６、１７は、所定の幅を有する長尺なテープ状（帯状）に形成されており、その前面側部分及び背面側部分は、外側衣料３の前面側及び背面側に人体の頭部を上方とした場合にその上端部１２、１３から下端部の全長にわたって縫着されている。上記左右のショルダー部材１６、１７は、その前面側部分が開口部１５の左右両端部に沿って配置されている。なお、図示の実施例では、ブラキャミソール１のデザイン上の理由から、左右のショルダー部材１６、１７は、その前面側部分及び背面側部分が、外側衣料３の上端部１２、１３から下端部の全長にわたって縫着されているが、外側衣料３の上端部１２、１３における内側衣料２の上下方向に沿った調整を行う領域（開口部１５に相当する領域）にのみ縫着するように構成しても良いし、内側衣料２に後述するようにボタン（オス）を２〜３個以上配置することで、外側衣料３の端部までとすることでも良い。
【００２４】
さらに、上記左右のショルダー部材１６、１７には、図１及び図４に示すように、少なくとも内側衣料２の装着位置を含む上下方向の所定の長さにわたって調節手段としてのボタンホール１８、１９が所定の間隔で複数配設されている。なお、ボタンホール１８、１９は、開口部１５の裏面側に露出するように配置されている。この左右のショルダー部材１６、１７は、例えば、ボタンホール１８、１９を所定の間隔で全長にわたって形成したボタンホール形成編又はボタンホール形成織のテープ材を使用したものである。また、上記左右のショルダー部材１６、１７は、穴かがり方式でボタンホールを適宜作成したものであっても良いし、通常のボタン及びボタンホールの代わりに互いに着脱自在なオス型とメス型のボタンからなるアメリカンスナップ等の一対の着脱部材を適宜配置したものであっても良い。ただし、ボタンホール１８、１９を左右のショルダー部材１６、１７の全長にわたって設ける場合に代えて、図５（ｂ）に示すように、ダミー（擬似）のボタンホール２０、２１を調節手段としてのボタンホール１８、１９以外の領域に設ける構成としても良い。
【００２５】
一方、上記内側衣料２には、ショルダー部材１６、１７に設けられた複数の調節用のボタンホール１８、１９のいずれかに止めることにより、内側衣料２の外側衣料３に対する位置を、ブラキャミソール１を着用する女性のバスト位置に合わせて上下方向に沿って調節する調節手段としてのボタン２２、２３が、左右にそれぞれ上下方向に沿って２個ずつ合計４個縫着等の手段によって設けられている。また、上記内側衣料２には、図６に示すように、当該内側衣料２の背面側にも調節手段としてのボタン２２、２３が設けられており、左右のショルダー部材１６、１７の背面側には、ボタン２２、２３に対応した調節手段としてのボタンホール１８、１９が外側衣料３の調節領域にわたって貫通するよう配設されている。なお、調節手段としてのボタン２２、２３及びボタンホール１８、１９は、内側衣料２の前面側又は背面側のいずれかにのみ設けても良い。また、上記内側衣料２に設けられるボタン２２、２３の数は、左右２個ずつ合計４個に限らず、左右１個ずつ或いは３個以上設けても勿論良く、その数は任意である。また、調節手段としては、ボタン２２、２３とボタンホール１８、１９の組み合わせに限らず、異なる位置に複数設けられた互いに着脱自在な一対の着脱部材からなるものであれば、上述したアメリカンスナップ、あるいはホックや面状ファスナーなど他の手段を用いても良い。
【００２６】
以上の構成において、この実施の形態に係る複合衣料としてのブラキャミソールの場合には、次のようにして、バストポイント位置を上げる、バストポイント位置を中央前部に寄せるといったバスト位置の調整を内側衣料により改善しても残る人体の厚み等によるバスト位置の個人差を、内側衣料と外側衣料との間における上下方向の調節作用により解消することが可能となっている。
【００２７】
すなわち、上記ブラキャミソール１は、図７に示すように、左右のショルダー部材１６、１７を女性の左右の肩２４、２５に掛けた状態で着用されるが、外側衣料３は、通常、外観から見栄えのすることを価値観としてシルエットを構成するため、そのシルエットの最も重要なバスト位置は、往々にして一般女性の実体値よりも高く設定される傾向がある。そのため、外側衣料に縫着等の手段によって内側衣料を一体的に設けた場合には、本来、人体にフィットしなければならないファンデーションガーメントとしての内側衣料のバスト位置と実際に複合衣料としてのブラキャミソール１を着用する女性のバスト位置との間にギャップが生じてしまい、外側衣料３のバスト位置との整合がとれず、ファッション性が低下したり、着用感が低下する虞れがある。また、バストポイント位置を上げる、バストポイント位置を中央前部に寄せるといったバスト位置の調整は、内側衣料２そのものによってある程度可能であるが、人体の厚み等によるバストポイント位置の個人差を解消することはできない。
【００２８】
そこで、上記ブラキャミソール１は、必要に応じて予め試着した状態で、内側衣料２が女性のバストＢの位置よりも上方に位置したり下方に位置する場合など、内側衣料２を調節手段としてのボタン２２、２３及びボタンホール１８、１９によって外側衣料３に連結する位置を上下方向に移動させることにより、外側衣料３に対する内側衣料２の装着位置を着用者のバストＢ位置にフィットした位置に調節することができる。
【００２９】
そのため、上記ブラキャミソール１によれば、内側衣料２のバスト位置を外側衣料３を着用する女性のバスト位置にフィット（一致）させることができ着用感に優れているとともに、左右のショルダー部材１６、１７に設けたボタンホール１８、１９とバストカップ体２に設けたボタン２２、２３とを設ければ良く、内側衣料２や外側衣料３の形状や材質が限定されることがないので、生地に無駄が生じることなく多様な材質やデザインに対応することが可能となる。
【００３０】
そのため、内側衣料２と外側衣料３の新しい組合せによって、内側衣料２と外側衣料３とのギャップを埋めるバストトップ位置を、外側衣料３が理想とする方向に限りなく近づけて設定することが可能となる。また、外側衣料３の一部の役割を内側衣料２が兼ねることにより、外側衣料３と内側衣料２とのバスト形成部の一体化をもって外側衣料３と内側衣料２とのギャップを埋め、更に外側衣料３のバストカップ素材の無用化及び加工費の低減を図ることができる。さらに、内側衣料２のショルダー部材の無用化及び加工費の低減を図ることができる。
【００３１】
また、上記内側衣料２は、ファンデーションガーメントを構成するものであるが、アウターとしての外側衣料３の胸部に露出する場合には、その形状やデザイン等をアウターとしての外側衣料３との組み合わせを考慮したものとすることが望ましい。
【００３２】
図８は実施の形態１に係る複合衣料の他の基本例を示す構成図であり、ファンデーションガーメント（内衣）とアウター（外衣）とを合成した複合衣料の基本例を示すものである。
【００３３】
この実施の形態１に係る複合衣料の基本例では、図８（ａ）に示すように、人体の前面側において、外側衣料３が内側衣料２の前面側を覆うよう体側部に位置する上端部１２、１３と同じ高さまで設けられており、内側衣料２の前面側が外部に露出しないデザインとなっている。また、左右のショルダー部材１６、１７の背面側は、図８（ｂ）に示すように、前記実施の形態と異なり、外側衣料３の背面側に縫着されているものではなく、当該左右のショルダー部材１６、１７の背面側は、その上端部が内側衣料２の背面側に縫着されているとともに、当該内側衣料２の外側衣料３に対する装着位置が調節可能となるようにボタン４０及び外側衣料３に設けられたボタンホール４１によって連結されている。ボタン４０は、内側衣料２又は当該内側衣料２に縫着された左右のショルダー部材１６、１７に設けられている。左右のショルダー部材１６、１７のボタンホール１８、１９は、その調節範囲において外側衣料３の裏面側に挿通可能となっている。また、この基本例では、内側衣料２の背面側の上端部が外側衣料３から露出して強調されるように、外側衣料３の背面側の上端部が凹形状に湾曲して形成されている。なお、ブラキャミソール１としては、図９に示すように、内側衣料２が前面側及び背面側を含めて外側衣料３から露出しないように構成しても良い。この場合、左右のショルダー部材１６、１７のボタンホール１８、１９は、ボタン２２、２３の装着位置に対応した位置において外側衣料３の内面側に貫通した状態で設けられている。
【００３４】
また、左右のショルダー部材１６、１７の背面側の上端部を内側衣料２の背面側に縫着する場合には、図１０に示すように、内側衣料２の人体側（内側）に縫着することにより、ショルダー部材１６、１７の背面側の端部が外部に露出しないように構成することが望ましい。なお、図１０に示す実施の形態では、調節手段として、ボタン及びボタンホールからなるものではなく、互いに着脱自在なオス型とメス型のボタンからなるアメリカンスナップを用いた例である。符号２３はアメリカンスナップのメス型のボタンを示しており、ショルダー部材１６、１７を介して外側衣料３の内面側に露出した状態で設けられ、内側衣料２の外面側に配置されたアメリカンスナップの図示しないオス型のボタンと連結される。また、アメリカンスナップのメス型とオス型のボタンは、内外の位置関係を逆に設定してオス型のボタンを外側に、メス型のボタンを内側に配置しても良い。この図１０に示す例では、図８（ｂ）に示す実施形態と同様、内側衣料２の背面側は、当該内側衣料２の背面側に配置されたアメリカンスナップを介して外側衣料３の背面側に装着位置が上下方向に沿って調節可能となっている。
【００３５】
図１１は左右のショルダー部材１６、１７の背面側を外側衣料３の背面側に全長にわたって縫着するとともに、左右のショルダー部材１６、１７の前面側の端部を内側衣料２の前面側に縫着するように構成したものである。そして、内側衣料２の前面側は、アメリカンスナップのメス型のボタン２３を介して外側衣料３の前面側に連結位置を上下方向に沿って調節可能なように装着されている。なお、外側衣料３の背面側には、図１１（ｂ）に示すように、内側衣料２の背面側の外側衣料３に対する連結位置を調節する調節手段としてのアメリカンスナップが配置されている。
【００３６】
図１２は実施の形態１に係る複合衣料の変形例を示す構成図であり、ショルダー部材１６、１７の前面側及び背面側の端部をそれぞれ外側衣料３ではなく内側衣料２に縫着等の手段により接合するとともに、内側衣料２に対する外側衣料３の装着位置を調節手段としてのアメリカンスナップのオス型とメス型のボタンにより上下方向に沿って調節可能としたものである。外側衣料３のバストカップ部における体側部寄りの前面側及び背面側の上端部には、アメリカンスナップのメス型のボタン２３が内面側に露出するように１つ装着されており、対応するショルダー部材１６、１７の前面側及び背面側の上端部には、図中破線で示すようにアメリカンスナップのオス型のボタンが上下方向に沿って複数装着されている。そして、外側衣料３のアメリカンスナップのメス型のボタン２３に対するショルダー部材１６、１７のアメリカンスナップのオス型ボタンの連結位置を上下方向に沿って調節するように構成されている。
【００３７】
図１３は実施の形態１に係る複合衣料の更なる変形例を示す構成図であり、ファンデーションガーメント（内衣）とアウター（外衣）とを合成した所謂バックレスタイプの装飾性を向上させた複合衣料の例を示すものである。
【００３８】
この変形例では、図１３に示すように、外側衣料３の背面側が女性のバスト部分の背面部に位置するのではなく、外側衣料３の背面側が略Ｖ字形状に大きく切れ込んだ形状に形成されており、女性のバスト部分の背面側が露出した所謂バックレスタイプを構成している。
【００３９】
また、左右のショルダー部材１６、１７の背面側は、略Ｖ字形状に大きく切れ込んだ外側衣料３の切れ込み４２の端縁に沿って縫着されている。また、ファンデーションガーメント（内衣）としての内側衣料２は、その背面側が外側衣料３と同様に略Ｖ字形状に大きく切れ込んだ形状に形成されているとともに、当該内側衣料２の切れ込み（開口部）４３は、外側衣料３の着用時のショルダーの装着肩部に向けたＶ字開角度より更に開角度が大きく設定され、外側衣料３の下端部でありＶ字状の切れ込み４２の先端部となる起点に形成する外側衣料３より少なくとも１ｃｍ以上、下部を起点としており、内側衣料２を外部に露出させないと同時に内側衣料２であるファンデーションとしての保持力を高める構成となっている。また、外側衣料３の背面側の下端部は、人体のウエスト部位置に概ね配置され、当該内側衣料２には、その外側衣料３の仕上際より１ｃｍ以上内側に形成された内側衣料２の背面Ｖ字下端部に調節手段としてのボタン４０が装着されている。このボタン４０は、外側衣料３の背面側に設けられたショルダー部材１６，１７の複数のボタンホールに上下方向に沿って位置が調節可能に連結される。すなわち、内側衣料２の背面側の下端部は、ボタン４０によって外側衣料３に縫着されたショルダー部材１６，１７に対して上下方向に沿った位置が調節可能となっている。なお、内側衣料２の身頃部は、例えば、伸縮性を有する生地によって形成されており、着脱が容易となっている。
【００４０】
図１４は実施の形態１に係る複合衣料の更なる変形例を示す構成図であり、ファンデーションガーメント（内衣）とアウター（外衣）とを合成した複合化衣料であることの利点を活かした新たな複合衣料を示すものである。この変形例では、左右のショルダー部材１６、１７が外側衣料３の全面側の左右上端部に、当該外側衣料３を構成する生地により一体的に形成されるか、又は縫着等の手段により一体的に接合されている。
【００４１】
この複合衣料１は、図１４に示すように、大別して、アウターとしての外側衣料３と、外側衣料３と分離独立したファンデーションガーメントとしての内側衣料２とから構成されている。外側衣料３は、図１４に示すように、バスト部分を除いて当該バスト部分よりも上方が露出した形状に身頃体が形成されており、前面側の左右のバスト部分を覆う前身頃の上端部３５、３６には、上方へ向けて左右のショルダー部材１６、１７が幅広く設けられているとともに、背面側に行くに従って幅が狭くなるよう形成されている。左右のショルダー部材１６、１７の背面側の下端部は、二重又は２つの円環を一体化させた環状部材３７を介して折り返した状態で、外側衣料３の背面側の上端部に縫着等の手段によって接合されている。環状部材３７は、図１５（ａ）（ｂ）に示すように、例えば、直径３０〜４０ｍｍの金属製や合成樹脂製の円環３７ａ、３７ｂを２つ僅かにずらした状態で使用するか、又は図１５（ｃ）に示すように内外二重の円環３７ａ、３７ｂを両円環の間に直径方向に沿って配置された２箇所の連結部３８ａ、３８ｂで互いに連結し、内外二重の円環３７ａ、３７ｂの間に左右の肩紐部材１６、１７を挿通する円弧状の間隙３８をそれぞれ形成したものが用いられる。外側衣料３の背面側は、バスト部分よりも上方が露出した形状に形成されている。
【００４２】
また、内側衣料２は、図１６に示すように、例えば、伸縮性を有する生地によって左右のバストカップ部４、５を含めて女性のチェスト部分に対応した略円筒形状に形成されている。また、上記内側衣料２は、複合衣料１がアウターとしての使用を前提としているため、バストの中央部に宝石状の装飾部材３９をあしらうなど、アウターに適したデザインが施されている。さらに、内側衣料２の前面側中央部には、その下方に調節手段としての２つのボタン２２が縦方向に沿って縫着されている。なお、調節手段としては、ボタン１つに対して２つのボタンホール、又は１つのボタンホールに対して２つのボタンの組合せが最低限必要となる。
【００４３】
この複合衣料１は、外側衣料３に対する内側衣料２の装着位置を調節手段としてのボタン２２と外側衣料３に設けられた同じく調節手段としての図示しないボタンホールとによって上下方向に沿って移動させることにより、内側衣料２の位置を女性のバスト位置に適合するように調節可能となっている。
【００４４】
また、この実施の形態では、図１４（ｂ）に示すように、環状部材３７で左右の肩紐部材１６、１７を折り返す位置を上下に移動させることにより、左右の肩紐部材１６、１７の長さを微調節することが可能となっている。
【００４５】
なお、左右の肩紐部材１６、１７の長さの調節量を大きく設定するためには、図１７に示すように、左右のショルダー部材１６、１７の背面側端部を外側衣料３に設けられた調節手段としてのボタンホール４１と左右のショルダー部材１６、１７に設けられた調節手段としてのボタン４０とによって、左右のショルダー部材１６、１７の長さを調節可能に構成しても良い。
【００４６】
また、図１８に示すように、左右のショルダー部材１６、１７の背面側を交差させることなく、外側衣料３の背面側の上端部に位置を調節自在に連結するように構成しても良い。この例では、調節手段として、ボタン２２、２３及びボタンホール１８、１９の代わりに、アメリカンスナップのメス型及びオス型のボタンを採用している。なお、図１８中の符号２３は、外側衣料３に設けられたアメリカンスナップのメス型のボタンを示している。
【００４７】
図１９はこの実施の形態１の更なる変形例を示す構成図であり、ファンデーションガーメント（内衣）と、アウター（外衣）との調和を図るランジェリー（中衣）や、アンダーシャツ、ニューインナーと言われる衣料（中衣）とを合成した複合衣料を示すものである。
【００４８】
複合衣料１は、図１９に示すように、外側衣料３がランジェリーやアンダーシャツ、ニューインナーと言われる衣料（中衣）を構成している。また、内側衣料２は、例えば、伸縮性を有する素材によって形成されている。
【００４９】
図２０はこの実施の形態１の更に異なる変形例を示すもので、フロントサイドの胸を深く食い込ませたプランジング的なデザインを採用しており、人体の前面側において、内側衣料２が外部に露出しないように、左右のバスト部を覆うように配置された外側衣料３の前身頃の上端部３５、３６のカットラインの内側に内側衣料２が配置されている。また、左右のショルダー部材１６、１７は、外側衣料３の前面側と当該外側衣料３の背面側との間にわたって配置されており、図２０（ｂ）に示すように、人体の背面側において幅が狭く形成されているとともに、背面側の中央部４３で一つに結合された略Ｙ字形状に形成されており、人体の背面側でやや幅の広い帯状に一体化された左右のショルダー部材１６、１７が外側衣料３の背面側の上端部に滑らかな曲線を成して接続されている。従来、内側衣料２と外側衣料３のショルダー部材は、一般的に位置が合わないのが通例であり、多くの場合、内側衣料２及び外側衣料３にそれぞれ設けられた相互２本のショルダー部材が表出してしまうことから、特に、このようなスタイルには、本発明が有効である。また、左右のショルダー部材１６、１７は、人体の背面側において幅が狭く形成されているとともに、背面側の中央部４３で一つに結合されることで、女性の肩からずれるのを回避することができる。
【００５０】
また、内側衣料２の背面側は、当該内側衣料２に設けられた調節手段としてのボタン４０と外側衣料３に設けられた図示しないボタンホールにより外側衣料３に対して上下方向に沿って装着位置が調節可能となっている。
【００５１】
実施の形態２
図２１はこの発明の実施の形態２を示すものであり、前記実施の形態１と同一の部分には同一の符号を付して説明すると、この実施の形態２は、複合化に伴う内側衣料であるファンデーション部をアウター化させた準外側衣料体とアウタート体（外側衣料）とからなる新たな複合衣料を提供するものである。更に説明すると、この実施の形態２では、ショルダー部材の前面側が内側衣料２の前面側の上端部に一体的に設けられるか又は接合されているとともに、ショルダー部材の背面側が外側衣料３の背面側の上端部に一体的に設けられるか又は接合されており、内側衣料２の前面側の外側衣料３に対する装着位置を内側衣料２の前面側の下端部において調節手段３１、３２により上下方向に沿って調節可能となるように構成されている。
【００５２】
すなわち、この実施の形態２に係る複合衣料１は、図２１に示すように、内側衣料２が外側衣料３のバスト部分に全体的に露出するように構成されており、内側衣料２の左右のバストカップ部４、５の上端部に、左右のショルダー部材１６、１７が一体的に形成されるか又は縫着等の手段で接合されている。図示の実施の形態では、左右のショルダー部材１６、１７は、帯状体からなるが、片側が単数又は複数本（例えば、２本）のコード体から構成しても良く、その前面側の端部が上記の如く左右のバストカップ部４、５の上端部に縫着等の手段で接合されている。また、上記左右のショルダー部材１６、１７の背面側の端部は、外側衣料３の背面側の上端部に縫着等の手段で接合されている。なお、左右のショルダー部材１６、１７は、内側衣料２又は外側衣料３に一体的に設けられていても良い。
【００５３】
また、上記複合衣料１の外側衣料３は、図２１に示すように、その前面側が内側衣料２の下方に配置されており、内側衣料２が外部に露出して当該内側衣料２を強調するようなデザインとなっている。外側衣料３の前面側の中央部３０は、左右の体側部側から左右のバストカップ部４、５の連結部に向けて、中央部３０が左右両側よりも高くなるよう斜めに傾斜した直線又は曲線を描くように形成されている。そして、上記外側衣料３の前面側の中央部３０上端には、調節手段としての複数のボタンホール３１が上下方向に沿って外観上目立たないように配置されている。
【００５４】
一方、内側衣料２には、図２２に示すように、左右のバストカップ部４、５の連結部に位置する中央部に調節手段としての１個のボタン３２が縫着等の手段により取り付けられている。この内側衣料２のボタン３２は、外側衣料３の複数のボタンホール３１のいずれかに止めることで、左右のショルダー部材１６、１７を人体の前面側又は背面側に送ることにより内側衣料２の外側衣料３に対する装着位置を調節するものである。なお、内側衣料２のボタン３２を複数設け、これら複数のボタン３２を外側衣料３のボタンホール３１のいずれかに同時に止めるように構成しても勿論良い。
【００５５】
この実施の形態の場合には、原則、ボタン１つに対し、２以上のボタンホールの組み合わせを前提としている。但し、装飾を兼ねたボタンは、邪魔にならない範囲で２個以上設けてもよく、この場合にはボタンホールを常に最低２個以上余分に形成する必要がある。
【００５６】
以上の構成において、この実施の形態２に係る複合衣料としてのブラキャミソールの場合には、次のようにして、バストポイント位置を上げる、バストポイント位置を中央前部に寄せるといったバスト位置の調整を内側衣料により改善しても残る人体の厚み等によるバスト位置の個人差を、内側衣料と外側衣料との間における上下方向の調節作用により解消することが可能となっている。
【００５７】
すなわち、上記複合衣料１は、図２１に示すように、左右の肩紐部材１６、１７を女性の左右の肩に掛けた状態で着用されるが、外側衣料３は、通常、外観から見栄えのすることを価値観としてシルエットを構成するため、そのシルエットの最も重要なバスト位置は、往々にして一般女性の実体値よりも高く設定される傾向がある。そのため、従来の衣料では、バストポイント位置を上げる、バストポイント位置を中央前部に寄せるといったバスト位置の調整を内側衣料により改善しても、女性のバストの位置が内側衣料にフィットしない場合がある。なお、内側衣料２は、図２３に示すように、基本的に、女性のバストトップ位置を人体の中央部側に例えば４ｃｍ以上にわたって寄せる効果や、バストトップ位置を上方に例えば１ｃｍ以上にわたって上げる機能を有している。しかし、人体の厚みなど体型には個人差があるため、内側衣料２のみが有する調整機能では、内側衣料２のバストトップ位置が着用者にフィットしない場合がある。
【００５８】
そこで、上記複合衣料１は、図２１に示すように、必要に応じて予め試着した状態で、内側衣料２が女性のバストの位置よりも上方に位置したり下方に位置する場合など、内側衣料２と外側衣料３との装着位置を調節手段としてのボタン３２と外側衣料３のボタン穴３１により上下方向に沿って例えば３ｃｍ以上にわたり移動させることができ、外側衣料３に対する内側衣料２の装着位置を上下方向に移動させた所望の位置に設定することで、着用者のバスト位置にフィットした位置に調節することができる。
【００５９】
即ち、上記複合衣料１では、図２１に示す位置で着用者のバスト位置にフィットしている場合、そのまま着用して使用すれば良い。また、上記複合衣料１では、図２１に示す位置では、内側衣料２のバストカップ部が着用者のバスト位置よりも上方に位置している場合、内側衣料２に設けられたボタン３２を、外側衣料３に設けられたボタンホール３１のうち、下方のボタンホール３１に止めることにより、内側衣料２の外側衣料３に対する装着位置が下方に移動し、内側衣料２を着用者のバスト位置にフィットさせることができる。
【００６０】
上記複合衣料１を着用する場合は、上記のごとく、先ず内側衣料２を身体にセットした段階でショルダー部材１６、１７が設計標準より前に送られるか、後に送られるかされ、それに順応した身頃体（外側衣料）３が前に送られた場合は、丈上位に移動し、反対の場合には逆に身頃体（外側衣料）３が丈下位に移動する（下がる）ことで、ボタン３２及びボタンホール３１の機能は調節と係止めの役割を有する。
【００６１】
一方、上記複合衣料１では、図２１に示す位置では、内側衣料２が着用者のバスト位置よりも下方に位置している場合、内側衣料２に設けられたボタン３２を、外側衣料３に設けられたボタンホール３１のうち、上方のボタンホール３１に止めることにより、内側衣料２の外側衣料３に対する装着位置が上方に移動し、内側衣料２を着用者のバスト位置にフィットさせることができる。
【００６２】
このように、上記複合衣料１によれば、同様の体型であっても人体の厚み等が異なる女性に広く対応することができるとともに、内側衣料２と外側衣料３との装着位置を内側衣料２に設けたボタン３２によって設定すれば良く、着用感に優れている。
【００６３】
その他の構成及び作用は、前記実施の形態１と同様であるので、その説明を省略する。
【００６４】
実施の形態３
図２４はこの発明の実施の形態３を示すものであり、前記実施の形態１と同一の部分には同一の符号を付して説明すると、この実施の形態３は、ショルダー部材１６、１７に一体化された外側衣料３の前合わせ部３４、３５を準内側衣料２のバストカップ部４、５の下部にて引き合わせることで調整可能としたものである。
【００６５】
更に説明すると、この実施の形態３では、バスト部分が開口されており、当該バスト部分の下方に位置する外側衣料３の前合わせ部３４、３５の引き合わせ位置を上下方向に沿って調節することによって、当該引き合わせ部が上方へ移動することを前提として設定されており、上方へ移動した状態（この場合はバストの隆起に対し吊れる状態が発生する）のときに前合わせのボタン３２を順次外していくことにより調節を図る方式である。
【００６６】
そのため、上記外側衣料３には、図２４に示すように、左右のバストカップ部３、４の連結部に位置する中央部に、上端部が開口したスリット３３が形成されており、当該スリット３３の開口位置を上下方向に沿って調節するボタン３２及びループ３２ａが上下方向に沿って複数配置されている。
【００６７】
この実施形態の利点は、バストを支える能力を外側衣料３に持たせたことにあり、複合衣料による利点を生かした実施例である。
【００６８】
なお、背面側下部の構成は、特に限定されるものではなく、準外側衣料化した場合は、内側衣料の背面側が外部に露出するように構成しても良いが、ショルダー部材１６、１７の端部を縫い止めした場合は、当該部分は準外側衣料としての役割に欠けるので、内側衣料２として外側衣料３の内側に配置するのが望ましい。
【００６９】
更に付言すると、この実施の形態３に係る複合衣料１では、図２４に示すように、上述した実施の形態２と逆の関係にあり、左右の肩紐部材１６、１７の背面側の端部１６ｂ、１７ｂが内側衣料２の背面側に縫着等の手段によって連結固定されており、左右の肩紐部材１６、１７の前面側の端部１６ａ、１７ａが外側衣料３のバストカップ部２の側方に位置する前面側の左右に一体的に形成されるか又は縫着等の手段によって連結固定されている。
【００７０】
この実施の形態３では、図２４に示すように、外側衣料３の左右の上端部１２、１３が左右のバストカップ部４、５の体側部側を覆うように上方に延長されており、これらの外側衣料３の左右の上端部には、左右のショルダー部材１６、１７の前面側の端部１６ａ、１７ａが一体的に形成されている。なお、左右のショルダー部材１６、１７は、外側衣料３に対して縫着等の手段で接合するように構成しても良い。
【００７１】
図２５はこの実施の形態３の変形例を示す構成図であり、ショルダー部材１６、１７の背面側の端部を外側衣料３と一体的に形成し、ショルダー部材１６、１７の前面側の端部を内側衣料２に調節手段によって装着位置を調節可能となるように構成したものである。なお、ショルダー部材１６、１７を人体の背面側で交差するように配置する場合には、ショルダー部材１７を１本のみ設けるように構成しても良い。
【００７２】
図２６はこの実施の形態３の変形例を示す構成図であり、ファンデーションガーメント（内衣）と、アウター（外衣）との調和を図るランジェリー（中衣）や、アンダーシャツ、ニューインナーと言われる衣料（中衣）とを合成した複合衣料を示すものである。
【００７３】
複合衣料１は、図２６に示すように、外側衣料３がランジェリーやアンダーシャツ、ニューインナーと言われる衣料（中衣）を構成している。また、内側衣料２は、ファンデーションガーメント（内衣）として形成されたものである。なお、左右のショルダー部材１６、１７は、その背面側の端部１６ｂ、１７ｂが内側衣料２の背面側の中央部に縫着等の手段によって連結固定されているものではなく、その背面側の端部１６ｂ、１７ｂが前面側と略平行に配置されており、背面側の端部１６ｂ、１７ｂが内側衣料２の背面側の左右にそれぞれ縫着等の手段によって連結固定されている。
【００７４】
図２７はこの実施の形態３の更なる変形例を示す構成図であり、ファンデーションガーメント（内衣）と、アウター（外衣）との調和を図るランジェリー（中衣）や、アンダーシャツ、ニューインナーと言われる衣料（中衣）とを合成したオフショルダータイプの複合衣料を示すものである。
【００７５】
この変形例では、図２７に示すように、左右のショルダー部材１６、１７は、その背面側の端部１６ｂ、１７ｂが内側衣料２の背面側に接合されており、図２４に示す実施形態の変形例と同様に、原則として、ショルダー部材１６、１７が一体的に形成された外側衣料３の身体中央部の引き合わせ部を、図１５（ｃ）に示すような環状部材３７によって調節することで、内側衣料２のバストカップ部４、５に対する外側衣料３の上下方向に沿った位置を調節可能としている。
【００７６】
また、この変形例では、図２７に示すように、内側衣料２の背面側に設けられた調節手段としてのボタン４０、及び外側衣料３に設けられた図示しないボタンホールを併用することにより、内側衣料２のバストカップ部４、５に対する外側衣料３の装着位置を併せて調節可能に構成しても良い。
【００７７】
図２８は更なる変形例を示すものであり、ショルダー部材１６、１７が背面側において交差させるように配置されている。なお、この変形例では、内側衣料２の前面側の上端部をアメリカンスナップ２３によってショルダー部材１６、１７に連結するように構成されており、内側衣料２の装着性を高めるように構成されている。
【００７８】
その他の構成及び作用は、前記実施の形態１及び２と同様であるので、その説明を省略する。
【００７９】
実施の形態４
図２９はこの発明の実施の形態４を示すものであり、前記実施の形態１と同一の部分には同一の符号を付して説明すると、この実施の形態４は、実施の形態３を基本とするものであるが、ショルダー部材１６、１７自体は、内側衣料２及び外側衣料３にそれぞれ別個に形成されており、当該２本のショルダー部材を以て、一対のショルダー部材としての付加価値を構成せしめ、且つ内側衣料２との連帯の中で調節可能とした実施形態であり、当該外側衣料との複合衣料であるからこそ創出することが可能なバックレスとしての実施形態である。
【００８０】
内側衣料２としてのバックレス構成能力を持った、準外面衣料の形成保持力を利用し、ショルダー部材を始め、外側衣料３の形態維持ができ、且つ人体の動きに相互が一体とした対応が可能である。
【００８１】
すなわち、この実施の形態４では、図２９に示すように、外側衣料３のバスト部分を覆う身頃部３４、３５の上端部に伸縮性を有するコード状のショルダー部材であるショルダーコード１６１、１７１が縫着等の手段により接合されているとともに、ショルダーコード１６１、１７１の背面側端部は、外側衣料３の背面側の上端部に縫着等の手段により接合されている。
【００８２】
また、内側衣料２の左右のバストカップ部４、５の上端部に伸縮性を有するショルダーコード１６２、１７２がそれぞれ縫着等の手段により接合されているとともに、ショルダーコード１６２、１７２の背面側端部は、内側衣料３の背面側の上端部に縫着等の手段により接合されている。
【００８３】
この実施の形態４では、図２９に示すように、外側衣料３の背面側が略Ｖ字形状に大きく切れ込んだ形状に形成されており、女性バスト部分の背面側が露出した所謂バックレスタイプを構成している。
【００８４】
また、ファンデーションガーメント（内衣）としての内側衣料２は、その背面側が外側衣料３と同様に略Ｖ字形状に大きく切れ込んだ形状に形成されているとともに、外側衣料３の背面側に形成された略Ｖ字形状の切れ込みの外側縁に沿って所定の幅だけ露出する形状に形成されている。また、内側衣料２の背面側の下端部は、女性のウエストの位置に配置されており、当該ウエスト位置に配置された内側衣料２の背面側に調節手段としてのボタン４０及び図示しないボタンホールが配設されている。
【００８５】
この実施形態では、あくまでも内側衣料２が身体へ対応する基本構成体であり、当該内側衣料２をベースとして外側衣料３の目的及び機能を活かしつつ両者を適合させるよう構成したものである。
【００８６】
したがって、この場合のショルダー部材は、外側衣料３のショルダー部材を前後方向に沿って移動させることで調節を図るものである。概ねショルダー部材１６、１７が有する調節可能な長さは、仮に標準を０値とすれば、前後２ｃｍ強の範囲（合計５ｃｍ程度）であり、当該前後２ｃｍの移動量をカバーできるように外側衣料３をデザインし、フロント部の調節を環状部材３７を用いて行い、バック部を図示のように内側衣料２に設けられたボタン４０及び外側衣料３に設けられた図示しないボタンホールで調節するよう構成したものである。
【００８７】
外側衣料３のシルエット形成上、重用視される点は内側衣料２と同様バスト位置にあるが、外側衣料３は、内側衣料２と異なり原則として明確なシルエットが要求されないため、外側衣料３の上下位置を調節することで、内側衣料２と外側衣料３をデザイン的に複合化させた複合衣料であっても対応することが可能となる。
【００８８】
これに対して、本発明を適用していない従来の衣料では、内側衣料２と外側衣料３とのバスト位置の相違が多くの場合前身頃に現れてしまい、外観を損ねることになる。
【００８９】
なお、本実施形態では、原則として、ショルダー部材１６、１７の配置及び構成は、外側衣料としての付加価値を考慮して外側衣料に設けることを前提とする。但し、内側衣料としての機能及び付加価値を重視する場合には、内側衣料にショルダー部材を設けても良いが、あくまで当該内側衣料にショルダー部材を配置する上でのコストを考慮し、当該内側機能を持った外側衣料としての外面性を共有化させることが望ましい。
【００９０】
また、前記実施の形態では、例えば、複合衣料としてブラキャミソールに適用した場合について説明したが、これに限定されるものではなく、ブラジャーとランジェリー中のキャミソール同士の組合せで相互が下着の領域に属するもの、あるいは、ブラジャーとスリップを合わせたブラスリップや、スリップ状のドレス等のファンデーションやアウターなどからなる複合衣料に広く適用することができることは勿論である。
【００９１】
更に、前記実施の形態では、当然のことながら、従来のブラジャーのように、バスト位置に合わせて調節する調整部材が外部に露出するショルダー部に現れることがないので、デザイン上の自由度が高く、外観的に優れたものとなっている。
【符号の説明】
【００９２】
１：ブラキャミソール、２：バストカップ体、３：身頃体、１６、１７：左右のショルダー部材、１８、１９：ボタンホール、２２、２３：ボタン。
【図１】
2014234558.tif 000003
【図２】
2014234558.tif 000004
【図３】
2014234558.tif 000005
【図４】
2014234558.tif 000006
【図５】
2014234558.tif 000007
【図６】
2014234558.tif 000008
【図７】
2014234558.tif 000009
【図８】
2014234558.tif 000010
【図９】
2014234558.tif 000011
【図１０】
2014234558.tif 000012
【図１１】
2014234558.tif 000013
【図１２】
2014234558.tif 000014
【図１３】
2014234558.tif 000015
【図１４】
2014234558.tif 000016
【図１５】
2014234558.tif 000017
【図１６】
2014234558.tif 000018
【図１７】
2014234558.tif 000019
【図１８】
2014234558.tif 000020
【図１９】
2014234558.tif 000021
【図２０】
2014234558.tif 000022
【図２１】
2014234558.tif 000023
【図２２】
2014234558.tif 000024
【図２３】
2014234558.tif 000025
【図２４】
2014234558.tif 000026
【図２５】
2014234558.tif 000027
【図２６】
2014234558.tif 000028
【図２７】
2014234558.tif 000029
【図２８】
2014234558.tif 000030
【図２９】
2014234558.tif 000031